(57)【要約】      （修正有）【課題】連続してルート案内できる頁めくり式地図集を提供する。【解決手段】地図集は、複数の上下に重なる地図頁を含み、地図頁それぞれの同じ側に装丁部を設けていて、地図頁をそれぞれ装丁部よりめくることができる。それぞれの地図頁は表と裏と２つの面を有し、それぞれが同じ比例でルート案内の局所地図が含められている。地図頁の正面に印刷したルート案内の終点が次頁の地図の正面のルート案内の起始点側とつながり、上下層に印刷した複数の地図頁の局所地図が上から下へ頁ごとにつながることで、完全な地図を形成する。各地図頁の裏面も同じ仕組みであるため、もう一つの頁も連続した完全な地図が形成される。利用者が自転車や車を利用するときに、各地図頁の同じ面をめくれば、連続的にルート案内効果を達成できる。【選択図】図１
0003206969.tif 000002
【実用新案登録請求の範囲】
【請求項１】
連続にルート案内できる頁めくり式地図集であって、前記地図集は複数の上下に重なる地図集を含む、かつ、前記地図頁それぞれの同じ側に装丁部を設けることによって、各前記地図頁を装丁部から頁をめくることができ、さらに、各前記地図頁は表と裏に２つの面を有し、かつ、同じ比例の局所地図を印刷され、
各前記地図の正面頁の前記局所地図は、少なくとも一つのルート案内を含む、前記ルート案内は、前記地図頁の一側に位置する起始点と、前記地図頁もう一側の起始点と対応する終点とを有し、前記地図頁の正面の終点と、次頁の前記地図頁正面の起始点が連続していつながっていて、上下層の複数の前記地図頁にある前記局所地図の正面が上から下へ頁の順に接続して完全な地図を形成され、各前記地図頁の裏面の前記局所地図も同じであることを特徴とする、連続にルート案内できる頁めくり式地図集。
【請求項２】
前記各地図頁の正面の前記局所地図は、利用者の走行方向に従って、前記局所地図の南北方向を印刷することによって、各頁の前記局所地図のルート案内の起始点がほぼ前記地図頁の下方に位置し、ルート案内の終点がほぼ前記地図頁の上方に位置することを特徴とする、請求項１記載の連続にルート案内できる頁めくり式地図集。
【請求項３】
前記最後頁の前記地図頁の正面の終点が第１頁の前記地図頁の正面の起始点とつながっていて、ループ状経路図を形成され、前記地図頁の裏面もこれと同じ仕組であることを特徴とする、請求項１記載の連続にルート案内できる頁めくり式地図集。
【請求項４】
前記最後頁の地図頁の正面の終点が第１頁の前記地図頁の正面の起始点とつながって、ループ状経路図を形成し、前記複数の地図頁の正面が時計方向のループ状経路方向であり、裏面が逆時計方向のループ状経路であり、前記同じ地図頁の正面と裏面の前記局所地図がミーラリング方式に配列して印刷され、かつ、ルート案内の起始点と終点がそれぞれの反対位置にあることを特徴とする、請求項１記載の連続にルート案内できる頁めくり式地図集。
【請求項５】
前記各地図頁の正面にその頁の番号を表示し、前記地図頁のルート案内の起始点に前頁の頁番号を表示し、前記地図頁のルート案内の終点に次頁の頁番号を表示し、前記地図頁の裏面も同じ仕組みであることを特徴とする、請求項１記載の連続にルート案内できる頁めくり式地図集。
【請求項６】
前記各地図頁の正面にその頁の番号を表示し、前記地図頁のルート案内の起始点に前頁の頁番号をそれぞれ表示し、前記地図頁のルート案内の終点に次頁の頁番号を表示し、前記頁番号は連続した文字で表し、前記地図頁の裏面も同じ仕組みであることを特徴とする、請求項１記載の連続にルート案内できる頁めくり式地図集。
【請求項７】
前記装丁部が前記地図頁の上方または下方に位置することを特徴とする、請求項１記載の連続にルート案内できる頁めくり式地図集。
【請求項８】
前記装丁部が前記地図頁の左側または右側に位置することを特徴とする、請求項１記載の連続にルート案内できる頁めくり式地図集。
【請求項９】
前記頁めくり式地図集は、表紙と、裏表紙支えボードとをさらに含む、前記裏表紙支えボードは、とじ紐を通すために、複数の取り付け穴を設けることを特徴とする、請求項１ないし請求項８いずれかの項に記載の連続にルート案内できる頁めくり式地図集。
【請求項１０】
前記頁めくり式地図集は、透明な防水ジャケットをさらに含む、前記防水ジャケットに前記複数の取り付け穴に対応した通り孔を設けることを特徴とする、請求項９記載の連続にルート案内できる頁めくり式地図集。
【考案の詳細な説明】
【技術分野】
【０００１】
本考案の技術手段は、頁めくり式地図集に関する。各地図頁の正面に同じ比例のルート案内の局所地図を印刷しており、現在の地図頁のルート案内の終点が次の地図頁のルート案内の起始点側とつながっていて、複数の地図頁の局所地図を上から下へ頁ごとにつながっていて、完全な地図を形成し、各地図頁の裏面も同じ仕組みである。利用者が各頁の地図頁をめくることによって、連続的なルート案内効果を達成できる。
【背景技術】
【０００２】
自転車サイクリングは、能力挑戦の一つ項目であり、オートバイまたは自転車のいずれを乗っても途中で自然景観と、人文的な景色を満喫できる。そこで、地図を参照すれば、比較的に早く目的地にたどり着くことができる。
【考案の概要】
【考案が解決しようとする課題】
【０００３】
従来の紙地図には、一枚式または冊にまとめて印刷されている。しかしながら、この２種の地図はいずれも乗りながらの利用は不便であり、つまり、いったん駐車してから地図を検索しなければならない。その原因として、一つは地図をオートバイや自転車に固定しにくい、もう一つは紙版の地図は一般として、北方向を上向きに印刷しており、利用するときは、常に地図を回転しながら方向確認しなければ、正しいルートをたどることができない。以上の点は、一般者が紙版の地図を利用するときに、不便を感じるところである。
【０００４】
幸いに現在は科学技術が普及し、携帯電話には大体ナビゲーションソフトウェアが導入しているため、多くの人がナビゲーションソフトウェアをルート案内の補助ツールとして利用されている。しかしながら、ナビゲーションソフトウェアは、なお不足なところが存在している。一例として、利用者が自転車でサイクリングするときに、ナビゲーションソフトウェアに歩行モードをあらかじめに設定するか、または高速道路を利用しない車モードに設定することができる。しかし、歩行モードでルート案内の場合、ソフトウエアから出力するルートには、階段など自転車が走りにくいか、または進入できない場所に遭遇される。そして、ナビゲーションソフトウェアで高速道路を利用しない車モードに設定した場合、ソフトウエアから出力するルートには、その地域に画定された自転車専用道路を無視される可能性がある。よって、いずれかのルート案内モードも、利用に問題点が存在する。
【０００５】
そのうえ、ナビゲーションソフトウェアにはたくさんの電気を消費される。運悪く辺鄙な場所で電気を切れてしまった場合には、安全問題を引き起こす恐れがある。よって、紙版の地図には、やはり携行する必要性がある。
【課題を解決するための手段】
【０００６】
本考案者は前記した背景から、この分野で蓄積した研究と実務経験に基づき、連続にルート案内できる頁めくり式地図集を考案し、紙版の地図に連続にルート案内する機能を持たせて、従来の紙版の地図による不便の解消を図る。
【０００７】
本考案の主な目的は、頁めくり式地図集を提供する。係る地図集は、各地図頁の正面に同じ比例のルート案内の局所地図を印刷しており、現在の地図頁のルート案内の終点が次の地図頁のルート案内の起始点側とつながっていて、複数の地図頁の局所地図を上から下へ頁ごとにつながっていて、完全な地図を形成し、各地図頁の裏面も同じ仕組みである。利用者が各頁の地図頁をめくることによって、連続的なルート案内効果を達成できる。
【０００８】
前述目的を達成するために、本考案は連続にルート案内できる頁めくり式地図集を提供する。係る地図集は、複数の上下に重なる地図頁を含む、さらに、地図頁それぞれの同じ側に装丁部を設けることによって、地図頁それぞれを装丁部より頁をめくることが示されている。そのうち、それぞれの地図頁は表と裏に２つの面を有し、かつ、同じ比例の局所地図をそれぞれ印字しており、各地図の正面頁の局所地図は、少なくとも一つのルート案内を含む、係るルート案内は、地図頁の一側の起始点に位置し、係る地図頁もう一側の起始点と対応する終点を有する。さらに、地図頁の正面の終点と、次頁の地図頁の正面の起始点と連続していて、上下層の複数の地図頁にある局所地図の正面が上から下へ頁の順に接続して完全な地図を形成され、各地図頁の裏面の局所地図も同じである。
【０００９】
各素子の実施例を以下のとおり説明する。
【００１０】
本考案の一例として、各地図頁の正面の局所地図を利用者の走行方向に従って局所地図の南北方向を印刷することによって、各頁の局所地図のルート案内の起始点がほぼ地図頁の下方に位置し、ルート案内の終点がほぼ地図頁の上方に位置し、利用者が係る地図頁の正面の終点に到着した場合、引き続きに次の地図頁の正面をめくるとき、次の地図頁の正面の下方の起始点が引き続きにルート案内して、連続的なルート案内効果を達成し、各地図頁の裏面も同じ仕組みである。公知技術の地図集を使用するときに、絶えずに方向を回転して、進行方向と確認する不便を有効に改善できる。
【００１１】
一例として、地図頁の最終頁正面の終点が地図頁の第１頁正面の起始点とつながっていて、ループ状の路線図が形成される。
【００１２】
一例として、複数の地図頁の正面を時計方向のループ状ルート方向に印刷し、裏面を逆時計方向のループ状ルート方向に印刷して、同じ地図頁の正面と裏面の局所地図がミーラリング方式に配列して印刷し、かつ、ルート案内の起始点と終点がそれぞれの反対位置にある。
【００１３】
一例として、各地図頁の正面にそれぞれの頁の番号を表示しており、かつ、その地図頁の起始点に前頁の番号が表示しており、係る地図頁の終点に次頁の頁番号が表示されている。各地図頁の裏面も同じ仕組みである。
【００１４】
一例として、前述頁番号を連続した文字で表示し、利用者が連続した頁番号を手がかりに、頁めくり式地図集を利用できる。
【００１５】
一例として、係る装丁部が地図頁の上または下側に位置し、利用者は上にまたは下に地図集をめくることが示されている。
【００１６】
一例として、係る装丁部が地図頁の左側または右側に位置し、利用者は左または右に地図集をめくることが示されている。
【００１７】
一例として、係る頁めくり式地図集は表紙と、裏表紙と裏表紙支えボードをさらに含む、係る裏表紙支えボードにとじ紐を通す複数の取り付け穴を設けられ、利用者はとじ紐を裏表紙支えボードの取り付け穴に通してから、頁めくり式地図集を車に縛り付けることができる。
【００１８】
一例として、係る頁めくり式地図集は、透明な防水ジャケットをさらに含む、係る防水ジャケットに複数の取り付け穴に対応する通り孔を設け、複数の地図頁と、防水ジャケットとを合わせて車に縛り付けることができる。
【００１９】
公知技術に比べて、本考案は各地図頁の正面に同じ比例のルート案内の局所地図を印刷しており、現在の地図頁のルート案内の終点が次の地図頁のルート案内の起始点側とつながっていて、複数の地図頁の局所地図を上から下へ頁ごとにつながっていて、完全な地図を形成し、各地図頁の裏面も同じ仕組みである。利用者が各頁の地図頁をめくることによって、連続的なルート案内効果を達成できる。
【考案の効果】
【００２０】
本考案の一例として、各局所地図は、利用者の走行方向に従って、局所地図の南北方向を決められ、各頁の局所地図のルート案内の起始点がほぼ地図頁の下方に位置し、ルート案内の終点がほぼ地図頁の上方に位置し、利用者は公知技術の地図集のように、絶えずに方向を回転して、進行方向と確認する不便を有効に改善できる。
【図面の簡単な説明】
【００２１】
【図１】本考案の立体外観図である。
【図２】本考案の２頁目の地図頁の正面を示す図である。
【図３】本考案図２のルート案内の終点による局所拡大図である。
【図４】本考案図２のルート案内の起始点による局所拡大図である。
【図５】本考案の３頁目の地図頁の正面を示す図である。
【図６】本考案図５のルート案内の終点による局所拡大図である。
【図７】本考案図５のルート案内の起始点による局所拡大図である。
【図８】本考案の最後の頁の正面を示す図である。
【図９】本考案の１頁目の地図頁の正面を示す図である。
【図１０】本考案の２頁目の地図頁の裏面を示す図である。
【図１１】本考案を車に縛り付けた態様図である。
【図１２】本考案と防水ジャケットを車に縛り付けた態様図である。
【考案を実施するための形態】
【００２２】
［実施例１］
本考案の技術手段に基づいて、本考案の好ましい実施方式をあげて、図式と合わせて以下の通り説明する。
【００２３】
［実施例］
図１を参照する。本考案は連続にルート案内できる頁めくり式地図集に関する。地図集は、複数の上下に重なる地図集１０を含む、かつ、地図頁それぞれの同じ側に装丁部を設けていて、地図頁それぞれを装丁部より頁をめくることができる。
【００２４】
本考案の一例として、係る装丁部２０が地図頁１０の上下左右のいずれかの一側に位置していて、かつ、装丁方式は、ループ、紐、グルー等頁めくり機能を達成できるいずれかの方式を実施しても良い。
【００２５】
それぞれの地図頁１０には正面と裏面とを有し、かつ、同じ比例の局所地図３０が印刷しており、係る局所地図３０に人気のある場所、ガソリンスタンド、トイレ、宿泊施設、自転車点検場所、自転車ショップ等の案内情報が印刷されている。以下に示す図はすべて地図頁１０の正面を例示しているが、裏面も同じ仕組である。
【００２６】
係る局所地図３０は、少なくとも一つのルート案内４０を含む、係るルート案内４０は地図頁１０一側の起始点４１と、係る地図頁１０のもう一側に係る起始点４１に対応した終点４２を含む。各地図頁１０の終点４２が次の地図頁１０の起始点４１とつながっていて、上下に重なる複数の地図頁１０の局所地図３０が上から下へつながり、完全な地図を形成する。
【００２７】
各地図頁１０に現在頁の頁番号１１を表示しており、それに加えて、起始点４１には前頁の頁番号を表示し、終点４２に次頁の頁番号を表示しており、前述頁番号を連続した文字で表示されている。図２ないし図７に示すように、係る連続した文字は、アラビア数字を例示しており、利用者がアラビア数字を手がかりに頁めくり式地図集を便利に利用できる。
【００２８】
一例として、図２に示す現在頁の頁番号１１が２であるため、起始点４１には前頁の頁番号が１を表示する（図４を参照）。終点４２に次頁番号３（図３を参照）が表示される。図５に示す現在頁の頁番号１１が３であるため、係る頁の起始点４１と、終点４２にそれぞれ２と、４が表示される（図６、図７を参照）。以下はこれに類推する。
【００２９】
以下、図２ないし図７において、頁めくり式地図集の使用方法を説明する。利用者が２頁目の地図頁の終点４２（図３を参照）に来ると、終点４２に３が表示され、これは地図頁１０を第３頁にめくることが示されている。引き続き、３頁目の地図頁の起始点４１に２を表示しており（図７を参照）、さらに、人気のある場所金山海浜植物園が第２頁にも表示されている。これは２頁目の地図頁の終点４２と、３頁目の地図頁の起始点４１とつながっていることを意味する。そして、利用者が３頁目の地図頁の終点４２（図６を参照）にすすめると、地図頁を第４頁にめくることが示されている。以下はこれに類推する。利用者が各地図頁の同じ面をめくれば、連続的なルート案内効果を達成できる。
【００３０】
この他に、各局所地図３０は、利用者の走行方向に従って局所地図３０の南北方向を印刷することによって、各頁の局所地図３０のルート案内４０の起始点４１がほぼ地図頁１０の下方に位置し、終点４２がほぼ地図頁１０の上方に位置し、利用者が係る地図頁１０正面の終点４２に到着した場合、引き続きに次の地図頁１０をめくり、次の地図頁１０を検索すれば、次頁の下方の起始点４１が引き続きにルート案内して、連続的なルート案内効果を達成される。さらに、起始点４１と終点４２には太字矢印が印刷しており、利用者が進行方向をより視認でき、公知技術による地図集が常に方向を回転して、進行方向を確認する面倒を解消できる。
【００３１】
本考案をループ状経路図または島をめぐる地図に適用する場合は、最後の地図頁１０のルート案内４０の終点４２が最初の地図頁１０のルート案内４０の起始点４１とつなげることができる。図８、図９に示すように、図８は最後の地図頁を示し、図９は１頁目の地図頁を示す。図８には、ルート案内４０の終点４２の次頁の頁番号が１を表し、図９には、ルート案内４０の起始点４１の前頁の頁番号が４４を表す。これは４４頁の地図頁が１頁目の地図頁に続いていて、ループ状経路図または島をめぐる地図を形成する。
【００３２】
この他に、複数の地図頁１０の正面を時計方向のループ状ルート方向に印刷し、裏面を逆時計方向のループ状ルート方向に印刷して、同じ地図頁１０の正面と裏面の局所地図３０を上下逆さまに、または左右を反転して、ミーラリング方式に配列して印刷することができる。一例として、図１０の地図頁１０Ａが図２の裏面であり、その南北方向が図２と正反対を形成する。さらに、人気のある場所金山自転車道より、図２と、図１０のルート案内４０起始点４１と、終点４２がちょうど反対する位置にあるが分かる。
【００３３】
当然として、複数の地図頁１０の正面に南から北を印刷していて、裏面に北から南へと印刷するか、または正面を東から西方向を印刷していて、裏面に西から東方向に印刷することもできる。
【００３４】
図１１に示すように、係る頁めくり式地図集は表紙と、裏表紙と裏表紙支えボード５０をさらに含む、係る裏表紙支えボード５０にとじ紐５１を通す複数の取り付け穴５２を設けられ、利用者はとじ紐５１を裏表紙支えボード５０の取り付け穴５に通してから、頁めくり式地図集を自転車のハンドルに縛り付けて置くと、自転車を乗りながら、地図集を検索することができる。
【００３５】
図１１、図１２を参照する。天候の変化に備えて、係る頁めくり式地図集の外側に透明な防水ジャケット６０をさらに設けられ、係る防水ジャケット６０に複数の取り付け穴５２に対応する通り孔６１を設け、複数の地図頁１０と、防水ジャケット６０とを合わせて車に縛り付けて、利用の利便性を向上できる。
【００３６】
以上の実施例の説明および図式は、本考案の好ましい実施例の例示に過ぎず、本考案に何らの制限を加わるべきではない。また、本考案の構造、装置、特徴に類似または近似するものは、すべては本考案の考案目的および実用新案登録請求の範囲に含まれるものとする。
【符号の説明】
【００３７】
１０、１０Ａ    地図頁
１１  現在頁の頁番号
２０  装丁部
３０  局所地図
４０  ルート案内
４１  起始点
４２  終点
５０  裏表紙支えボード
５１  とじ紐
５２  取り付け穴
６０  防水ジャケット
６１  通り孔
【図１】
0003206969.tif 000003
【図２】
0003206969.tif 000004
【図３】
0003206969.tif 000005
【図４】
0003206969.tif 000006
【図５】
0003206969.tif 000007
【図６】
0003206969.tif 000008
【図７】
0003206969.tif 000009
【図８】
0003206969.tif 000010
【図９】
0003206969.tif 000011
【図１０】
0003206969.tif 000012
【図１１】
0003206969.tif 000013
【図１２】
0003206969.tif 000014